(57)【特許請求の範囲】
【請求項１】
薬液の注入速度又は注入流量を動的に変化させて地盤中に注入する薬液注入工法であって、
薬液の注入速度又は注入流量を増減させる振幅の最適な値を薬液注入を行う対象地盤について決定する工程と、
平均注入速度又は平均注入流量と前記最適な振幅との関係を無次元化した振幅係数αと前記増減の周波数ｆとを演算した動的係数ｄを決定する工程と、
前記動的係数ｄと注入効果との関係に基づいて施工条件を設定して薬液注入を行う工程とを備えたことを特徴とする薬液注入工法。
【請求項２】
前記注入効果は、前記対象地盤が砂質土地盤である場合は、注入された薬液によって固結した体積に基づいて表され、前記対象地盤が粘性土地盤である場合は、薬液注入によって形成された割裂脈の本数に基づいて表されることを特徴とする請求項１に記載の薬液注入工法。
【請求項３】
前記最適な振幅は、対象地盤に対して水注入による振幅の大きさを変化させた試験を行った結果に基づいて決定されることを特徴とする請求項１又は２に記載の薬液注入工法。
【発明の詳細な説明】
【技術分野】
【０００１】
本発明は、薬液を地盤中に注入する薬液注入工法に関するものである。
【背景技術】
【０００２】
特許文献１に開示されているように、薬液の注入速度又は注入圧力を動的に変化させて地盤中に注入する薬液注入工法が知られている。この動的注入工法によれば、薬液の浸透範囲を広げることができるうえに、効率よく地盤改良を行うことができる。
【０００３】
一方、特許文献２には、薬液注入によって地盤改良された地盤に対して、改良体自体の強度を考慮して、簡単な実験設備で地盤の液状化対策効果を確認することができる方法が開示されている。
【０００４】
また、特許文献３には、薬液の注入速度又は注入圧力を動的に変化させて粘性土地盤に注入し、粘性土地盤中に割裂脈を形成する薬液注入工法が開示されている。
【先行技術文献】
【特許文献】
【０００５】
【特許文献１】特許第３７３１１８９号公報
【特許文献２】特開２００４−８４３９２号公報
【特許文献３】特開２０００−６４２６６号公報
【発明の概要】
【発明が解決しようとする課題】
【０００６】
しかしながら、特許文献２の方法では、改良中に繰り返し地盤を採取して品質を確認することになるので、待機時間も多くなり施工期間が長くなる。一方、薬液注入による注入効果を、簡単な方法で定量的に評価できれば、改良効果の高い薬液注入工法が適用されやすくなる。
【０００７】
そこで、本発明は、薬液の注入効果を定量的に把握したうえで実施することが可能な薬液注入工法を提供することを目的としている。
【課題を解決するための手段】
【０００８】
前記目的を達成するために、本発明の薬液注入工法は、薬液の注入速度又は注入流量を動的に変化させて地盤中に注入する薬液注入工法であって、薬液の注入速度又は注入流量を増減させる振幅の最適な値を薬液注入を行う対象地盤について決定する工程と、平均注入速度又は平均注入流量と前記最適な振幅との関係を無次元化した振幅係数αと前記増減の周波数ｆとを演算した動的係数ｄを決定する工程と、前記動的係数ｄと注入効果との関係に基づいて薬液注入を行う工程とを備えたことを特徴とする。
【０００９】
ここで、前記注入効果は、前記対象地盤が砂質土地盤である場合は、注入された薬液によって固結した体積に基づいて表され、前記対象地盤が粘性土地盤である場合は、薬液注入によって形成された割裂脈の本数に基づいて表されるようにすることができる。
【００１０】
また、前記最適な振幅は、対象地盤に対して水注入による振幅の大きさを変化させた試験を行った結果に基づいて決定されるのが好ましい。
【発明の効果】
【００１１】
このように構成された本発明の薬液注入工法は、平均注入速度又は平均注入流量と最適な振幅との関係を無次元化した振幅係数αと周波数ｆとを演算した動的係数ｄと注入効果との関係を利用して設定された条件で薬液注入を行う。
【００１２】
このため、薬液の注入効果を定量的に把握することができる。薬液の注入効果を定量的に把握できれば、注入管の施工ピッチを拡げるなど、注入効果の高い工法の利点を生かした実施を行うことができる。
【００１３】
このような注入効果は、予め実験を行って、砂質土地盤であれば薬液によって固結した体積、粘性土地盤であれば薬液注入によって形成された割裂脈の本数という指標を使って、定量化しておくことができる。
【００１４】
さらに、最適な振幅を決定するに際して、対象地盤に対して水注入による振幅の大きさを変化させた試験を行うことによって、精度の高い注入効果の推定を行うことができるようになる。
【図面の簡単な説明】
【００１５】
【図１】本発明の実施の形態の薬液注入工法を説明するために、砂質土地盤における動的係数ｄと注入効果との関係を示した図である。
【図２】薬液注入に使用される装置の構成を模式的に示した説明図である。
【図３】限界注入速度試験を説明するための説明図である。
【図４】最適な振幅を決定する方法を説明するための説明図である。
【図５】粘性土地盤における動的係数ｄと注入効果との関係を示した図である。
【発明を実施するための形態】
【００１６】
以下、本発明の実施の形態について図面を参照して説明する。図１は、本実施の形態の薬液注入工法を説明するために、砂質土地盤における動的係数ｄと注入効果との関係を示した図である。
【００１７】
一方、図２は、本実施の形態の薬液注入工法に使用される装置の概略構成を示した図である。まず、図２を参照しながら、動的注入ポンプ２及びその周辺の構成について説明する。
【００１８】
薬液を注入するための準備工程として、ボーリングマシン４を利用して地盤Ｇに注入管１が設置される。ここで、注入管１が削孔用ロッドを兼ねている場合は、注入管１の頭部にボーリングマシン４のスイベルヘッド１１が接続されて、対象地盤まで打ち込まれた注入管１は、そのまま薬液注入に使用される。
【００１９】
これに対して、専用の削孔用ロッド（図示せず）を使用する場合は、最初にボーリングマシン４のスイベルヘッド１１に削孔用ロッドを接続し、削孔終了後に削孔用ロッドを注入管１と入れ替えて、薬液注入を行うことになる。
【００２０】
スイベルヘッド１１には、薬液の注入速度、注入流量又は注入圧力を時間の経過に伴って増減させるという薬液の注入方法が実施可能な動的注入ポンプ２が接続される。すなわち、この動的注入ポンプ２は、経時的に注入速度、注入流量又は注入圧力を変化させる動的注入が可能なポンプである。
【００２１】
動的注入ポンプ２は、電動モータを駆動部とする注入ポンプ２１と、ファンクションジェネレータとなる波形発生装置２２と、流量・圧力測定装置２３とによって主に構成される。
【００２２】
注入ポンプ２１は、電動モータの回転数を任意に変更することで、吐出流量（注入流量）を変更することができる。ここで、吐出流量を薬液の圧送に使用される配管の断面積で除した値が注入速度となる。
【００２３】
このため、電動モータの回転数を下げると、それに伴って注入速度が低下することになる。他方、電動モータの回転数を上げると、それに伴って注入速度が増加することになる。
【００２４】
また、波形発生装置２２は、例えばSIN波（正弦波）などの制御波形を造成する装置である。波形発生装置２２では、波形の周波数ｆ及び振幅Ｂを調整することができる。ここで、振幅Ｂは、最大注入速度と最小注入速度との差（最大流量と最少流量との差、最大注入圧力と最小注入圧力との差）となる。
【００２５】
さらに、流量・圧力測定装置２３は、注入管１によって対象地盤（地盤Ｇ）に注入される薬液の流量及び注入圧力を測定する装置である。この流量・圧力測定装置２３で測定される流量値（L/min）から、対象地盤に注入された薬液の注入流量（注入速度）を把握することができる。
【００２６】
また、流量・圧力測定装置２３で測定される圧力値(kPa)から、地中圧力を推定することができる。例えば、流量・圧力測定装置２３で測定される圧力値が上昇しているときには、対象地盤中の地中圧力も同じく上昇しているものと推定することができる。
【００２７】
動的注入ポンプ２によって注入する薬液には、水ガラス系溶液型薬液、ベントナイト、超微粒子セメントを含有する高濃度微粒グラウト、粗粒分が混合されたモルタル系グラウトなどの、既知の薬液注入工法に使用される様々な種類の薬液が使用できる。
【００２８】
また、注入される薬液には、その種類によって、二液を混合した直後に圧送させるもの、一液の状態のままで圧送させるものなどがある。図２では、二液（Ａ液、Ｂ液）を混合した直後に圧送する構成について説明する。
【００２９】
動的注入ポンプ２には、薬液ミキサ３が接続される。この薬液ミキサ３の中で、二液（Ａ液、Ｂ液）が混合される。すなわち、硬化材置き場３１から搬送された硬化材（Ｂ液の原料）と、貯水槽３２から送水された水と、貯液槽３３から送られた溶液（Ａ液）とを、薬液ミキサ３内で混合する。
【００３０】
硬化材置き場３１には、運搬車両３１１などによって現場に運ばれてきた硬化材が、適宜補給される。また、貯水槽３２に溜められた水は、送水ポンプ３２１によって薬液ミキサ３に供給される。
【００３１】
さらに、貯液槽３３には、タンクローリ３３３などによって搬送されてきた溶液が貯留され、送液ポンプ３３１によって薬液ミキサ３に供給される。ここで、薬液ミキサ３に供給される溶液の量は、流量計３３２によって管理される。
【００３２】
次に、本実施の形態の薬液注入工法について、順を追って説明する。
【００３３】
まず、薬液注入を行う対象地盤における限界注入速度を求める。この限界注入速度とは、薬液注入工法においてこの値以下とすれば充分に改良効果が得られるといわれる値をいう。
【００３４】
限界注入速度の決定方法は、様々な手法が提案されている。例えば、地盤Ｇに水注入を行う原位置試験（限界注入速度試験）の結果から求めることができる。
【００３５】
図３に、限界注入速度試験を説明するための概念図を示した。地盤Ｇに対して水注入を行うと、最初は注入速度に比例して注入圧力が線形的に増加していくＳＴ１区間が現れる。このＳＴ１区間は、浸透注入が主体となっていると考えられ、この区間の初期勾配の直線をＬＮ１とする。
【００３６】
ＳＴ１区間に続くＳＴ２区間における注入速度と注入圧力の関係は、放物線状のなだらかなピークを迎えた後に、徐々に注入圧力が減少していく状態になる。この注入圧力の減少は、間隙水圧の高まりによって地盤Ｇに割裂が発生するためと考えられる。
【００３７】
そこで、直線ＬＮ１の初期勾配の３割の勾配の直線ＬＮ２を原点から引き、曲線と交わる位置でＳＴ２区間とＳＴ３区間とに分ける。このＳＴ３区間は、割裂注入が主体となる区間となり、ＳＴ２区間は、浸透注入から割裂注入への遷移状態の区間となる。そして、ＳＴ２区間とＳＴ３区間の境界となる注入速度を、限界注入速度ＬＳ０として決定する。
【００３８】
続いて、薬液の注入速度（又は注入流量）を増減させる振幅の最適な値を、薬液注入を行う対象地盤について決定する。この最適な振幅は、対象地盤に対して水注入による振幅の大きさを変化させた試験を行った結果に基づいて決定される。対象地盤ごとに、限界注入速度及び最適振幅を求めるようにすれば、地盤の不均一性を考慮することができるようになる。
【００３９】
これらの試験を行うには、まず、図２に示すように、ボーリングマシン４を使って、注入管１を地盤Ｇの所定の深度まで打ち込む。そして、この注入管１を使って、対象地盤に水を注入する限界注入速度試験を行って限界注入速度ＬＳ０を求める。
【００４０】
さらに注入管１からは、経時的に注入速度を増減させる水注入試験が行われる。ここで、水の圧送に使用される配管の断面積が一定であれば、注入速度の変化は注入流量（L/min）の変化と同じになる。
【００４１】
図４は、水注入試験の結果を概念的に示した説明図である。水注入試験は、平均注入速度Ｓ０を限界注入速度ＬＳ０に設定して行われる。また、注入速度を増減させる振幅Ｂは、時間ｔの経過とともに徐々に大きくなるようにする。
【００４２】
一方、水注入中の地盤Ｇの地中圧力を示す注入圧力Ｐを流量・圧力測定装置２３によって測定し、図４の下部に示すように図示する。この図に示されているように、水注入を続けると、地盤Ｇの隙間に水が充填されていくので、徐々に注入圧力Ｐが上昇していくことになる。
【００４３】
ところが、ある程度まで注入圧力Ｐが上昇すると、急激に圧力が低下する状況が発生する。これは、注入圧力Ｐの上昇によって、対象地盤に新たに割裂が発生して圧力が低下したものと考えられる。
【００４４】
ここで、振幅Ｂを平均注入速度Ｓ０で無次元化した振幅係数αを定義する。すなわち振幅係数αは、次の式で示すことができる。
振幅係数＝（最大注入速度−最小注入速度）／平均注入速度
すなわち、α＝Ｂ／Ｓ０
【００４５】
そして、急激に注入圧力Ｐが低下する直前の頂点となる注入圧力Ｐ１の発生時刻をｔ１とする。また、この時刻ｔ１における最大注入速度Ｓ１と最小注入速度Ｓ２との差分を、この対象地盤の最適振幅Ｂ１とする。要するに、割裂注入が主体となる直前の振幅Ｂが、最適振幅Ｂ１となる。
【００４６】
そこで、この最適振幅Ｂ１を、平均注入速度Ｓ０によって無次元化した値を、最適振幅係数α１とする。
最適振幅係数（α１）＝最適振幅（Ｂ１）／平均注入速度（Ｓ０）    （１）
【００４７】
一方、振幅係数αと周波数ｆとをパラメータとする管理指標を、動的係数ｄとして定義する。
ｄ＝Ｆ（α，ｆ）＝α×ｆ    （２）
【００４８】
図１は、砂質土地盤である対象地盤に薬液を注入して実験を行った結果を、整理した図である。この実験は、複数の対象地盤について行われた。また、動的注入だけでなく、比較のために静的注入（平均注入速度による一定速度注入）による実験も行った。
【００４９】
砂質土地盤における薬液の注入効果の確認は、注入された薬液によって固結した地盤の体積に基づいて表される。ここで、動的注入によって形成された固結体積をＶとし、静的注入によって形成された固結体積をＶ０とする。
【００５０】
そして、動的注入と静的注入の固結体積比ＲＶ（＝Ｖ／Ｖ０）を、各対象地盤において行われた実験結果として算出する。また、それぞれの固結体積Ｖの結果が得られたときの動的注入の振幅係数αと周波数ｆとを記録しておく。
【００５１】
図１は、振幅係数αと周波数ｆとの積である動的係数ｄを横軸とし、動的注入と静的注入の注入効果の比較結果を示す固結体積比ＲＶを縦軸として、動的係数ｄと固結体積比ＲＶとの関係を示している。
【００５２】
そこで、プロットされた実験結果に基づいて、最小二乗法により関係式を導くと、次のような式が導かれた。
ＲＶ＝Ｋ・ｄ＋１＝1.19ｄ＋１    （３）
【００５３】
この図１に示した結果から、静的注入と比べて動的注入の方が固結体積が大きくなることがわかる。すなわち、動的注入を行うことによって、薬液の浸透性が向上して、浸透範囲が広がるという注入効果が得られることがわかる。また、注入効果としても、ｄ＝0.168で約20％の固結体積の増加が見込めるというように、定量的な評価を行うことができる。
【００５４】
一方、図５は、粘性土地盤である対象地盤に薬液を注入して実験を行った結果を、整理した図である。この実験でも、動的注入だけでなく、比較のために静的注入による実験を行った。
【００５５】
粘性土地盤における薬液の注入効果の確認は、注入された薬液によって地盤に形成された割裂脈の本数に基づいて表される。ここで、動的注入によって形成された割裂脈の本数をＮとし、静的注入によって形成された割裂脈の本数をＮ０とする。
【００５６】
そして、動的注入と静的注入の割裂脈の本数比ＲＮ（＝Ｎ／Ｎ０）を、対象地盤において行われた実験結果として算出する。また、割裂脈の本数Ｎという結果が得られたときの動的注入の振幅係数αと周波数ｆとを記録しておく。
【００５７】
図５は、振幅係数αと周波数ｆとの積である動的係数ｄを横軸とし、動的注入と静的注入の注入効果の比較結果を示す割裂脈の本数比ＲＮを縦軸として、動的係数ｄと割裂脈の本数比ＲＮとの関係を示している。
【００５８】
そこで、プロットされた実験結果に基づいて、最小二乗法により関係式を導くと、次のような式が導かれた。
ＲＮ＝Ｋ・ｄ＋１＝14.6ｄ＋１    （４）
【００５９】
この図５に示した結果から、静的注入と比べて動的注入の方が割裂脈の本数が増加することがわかる。すなわち、動的注入を行うことによって、割裂脈数が多くなって、強固で均一の複合地盤が構築できるという注入効果が得られることがわかる。また、注入効果としても、ｄ＝0.027で約40％の割裂脈数の増加が見込めるというように、定量的な評価を行うことができる。
【００６０】
そこで、このような定量的な評価を生かした薬液注入が行われる。まず、図２に示すように、ボーリングマシン４を使って、注入管１を地盤Ｇの所定の深度まで打ち込む。図示されていないが、実際には面的な広がりをもって多数の注入管１，・・・が地盤Ｇに設置されることになる。
【００６１】
そして、設置された注入管１を使って、地盤Ｇ中に薬液を注入することになる。この時点で、薬液の注入を行う対象地盤に対しては、上述したように最適振幅係数α１が判明している。
【００６２】
一方、波形発生装置２２では、通常、1Ｈｚ以下で周波数ｆを調整する。例えば、対象地盤が砂質土地盤で、水注入試験によって、限界注入速度が10(L/min)、最適振幅係数α１が0.5と決定されていたとする。
【００６３】
これらの値を上式（１）に当てはめると、注入速度の最適振幅Ｂ１は5(L/min)となる。また、周波数ｆを0.1Ｈｚに設定すると、動的係数ｄは0.05となる。この動的係数ｄを上式（３）に当てはめると、固結体積比ＲＶは1.06となって、静的注入に比べて6％の注入効果の改善が図れることが判明する。
【００６４】
ここで、注入管１，・・・の施工ピッチが、静的注入の注入効果に基づいて設計されていたとする。このような場合に、動的注入によって注入効果が6％向上すると定量的に示すことができれば、その分、施工ピッチを拡げることができるようになる。
【００６５】
そして、注入管１からは、最適振幅Ｂ１によって経時的に注入速度を増減させた注入が行われる。ここで、薬液の圧送に使用される配管の断面積が一定であれば、注入速度の変化は注入流量（L/min）の変化と同じになる。
【００６６】
このため、「注入速度で管理する」と「注入流量（吐出流量）で管理する」とは、同義とすることができる。このため注入速度は、流量・圧力測定装置２３の測定値によって管理することができる。
【００６７】
平均注入速度Ｓ０は、注入ポンプ２１の回転数を変更することによって、調整することができる。この平均注入速度Ｓ０は、ここでは限界注入速度ＬＳ０＝10(L/min)に設定する。
【００６８】
一方、注入速度の増減は、波形発生装置２２によって調整する。すなわち、最大注入速度Ｓ１と最小注入速度Ｓ２との差分を振幅（最適振幅Ｂ１＝5(L/min)）とした正弦波を、制御波形とする。また、波形発生装置２２によって、周波数ｆ（0.1Ｈｚ）の設定も行われる。
【００６９】
次に、本実施の形態の薬液注入工法の作用について説明する。
このように構成された本実施の形態の薬液注入工法は、平均注入速度Ｓ０と最適振幅Ｂ１との関係を無次元化した最適振幅係数α１と周波数ｆとを演算した動的係数ｄと注入効果との関係を利用して設定された条件で薬液注入を行う。
【００７０】
このため、薬液の注入効果を定量的に把握することができる。薬液の注入効果が定量的に把握できれば、注入管１，・・・の施工ピッチを拡げるなど、注入効果の高い工法の利点を生かした実施を行うことができる。
【００７１】
このような注入効果は、予め実験を行って、砂質土地盤であれば薬液によって固結した固結体積Ｖ又は固結体積比ＲＶによって、定量的に示すことができる。また、粘性土地盤であれば薬液注入によって形成された割裂脈の本数Ｎ又は割裂脈の本数比ＲＮという指標を使って、定量化しておくことができる。
【００７２】
さらに、最適振幅Ｂ１を決定するに際して、対象地盤に対して水注入による振幅Ｂの大きさを変化させた試験を行うことによって、精度の高い注入効果の推定を行うことができるようになる。
【００７３】
以上、図面を参照して、本発明の実施の形態を詳述してきたが、具体的な構成は、この実施の形態に限らず、本発明の要旨を逸脱しない程度の設計的変更は、本発明に含まれる。
【００７４】
例えば、前記実施の形態では、注入速度で注入管理を行う場合について説明したが、これに限定されるものではなく、注入流量によっても同様に注入管理を行うことができる。
【００７５】
また、前記実施の形態では、注入速度を正弦波で増減させる場合について説明したが、これに限定されるものではなく、矩形波形、鋸刃波形など様々な波形を制御波形とすることができる。
【００７６】
さらに前記実施の形態では、動的係数ｄを振幅係数αと周波数ｆとの積として表したが、これに限定されるものではなく、振幅係数αと周波数ｆとを使って演算される関数Ｆ（α，ｆ）であればよい。
【００７７】
また、前記実施の形態では、薬液注入の対象地盤に対して水注入による試験を行うことで最適振幅Ｂ１及び最適振幅係数α１を決定する方法について説明したが、これに限定されるものではなく、対象地盤と類似した地盤の結果がある場合には、その地盤から得られた値を使って最適振幅Ｂ１及び最適振幅係数α１を決定することもできる。
【符号の説明】
【００７８】
Ｇ              地盤
α              振幅係数
α１            最適振幅係数
Ｂ１            最適振幅
ｆ              周波数
ｄ              動的係数
ＲＶ            固結体積比（注入効果）
ＲＮ            本数比（注入効果）
Ｓ０            平均注入速度
Ｓ１            最大注入速度
Ｓ２            最小注入速度
【図１】
0006475111.tif 000002
【図２】
0006475111.tif 000003
【図３】
0006475111.tif 000004
【図４】
0006475111.tif 000005
【図５】
0006475111.tif 000006